(57)【要約】【課題】  ウエイトチェンジが可能なラケットを提供する。【解決手段】  本体３０は、フレーム３１、及びフレーム３１とグリップ２０とを接続する接続部３３を有している。接続部３３は、グリップ２０に接続し本体３０の中心軸上に位置するシャフト部３３１、及びシャフト部３３１とフレーム３１とを接続し、本体３０の中心軸の両側にそれぞれ位置する左アーム部３３３、及び右アーム部３３５を有している。左アーム部３３３、右アーム部３３５はそれぞれ凹部３５を有し、各凹部３５には有底孔３７が形成されている。ナット４０は、有底孔３７内に設けられ、ボルト５０は、ナット４０にねじ結合される。これにより、ラケット１０は、異なる重さのボルト５０をナット４０にねじ結合するだけで、容易にラケットのウエイトや重心位置を調整することができる。【選択図】  図２
0003177143.tif 000002
【実用新案登録請求の範囲】
【請求項１】
グリップと、
フレーム、および前記グリップと前記フレームとを接続し少なくとも一つの孔が形成されている接続部を有する本体と、
前記本体に設置され、外壁と前記孔の内壁とが当接するナットと、
前記ナットにねじ結合するボルトと、
を含むウエイトチェンジが可能なラケット。
【請求項２】
前記ナットの軸方向に垂直な断面の形状が非円形となっていることを特徴とする請求項１に記載のウエイトチェンジが可能なラケット。
【請求項３】
前記ナットは、ブラインドナットであることを特徴とする請求項１に記載のウエイトチェンジが可能なラケット。
【請求項４】
前記ナットの外壁と前記孔の内壁との間には、ゼリー層を有することを特徴とする請求項１に記載のウエイトチェンジが可能なラケット。
【請求項５】
前記孔は、前記本体を貫通し前記ボルトを固定するための窪みを有する貫通孔であることを特徴とする請求項１に記載のウエイトチェンジが可能なラケット。
【請求項６】
前記本体は、前記ボルトの少なくとも一部を収容するための凹部を有することを特徴とする請求項１に記載のウエイトチェンジが可能なラケット。
【請求項７】
前記本体の表面は、前記ボルトの少なくとも一部を覆うために延びるカバーを有することを特徴とする請求項１に記載のウエイトチェンジが可能なラケット。
【考案の詳細な説明】
【技術分野】
【０００１】
本考案は、ウエイトをチェンジすることが可能なラケットに関するものである。
【背景技術】
【０００２】
テニスやスカッシュ、又はバトミントンなどのスポーツに使われるラケットのバランスポイントは、スポーツ選手が打撃を行う際の感覚に大きな影響を与えている。一般的に、ラケットのバランスポイントがラケット頭部に近いものはトップヘビー型ラケットに属し、打撃力が強く、アタックに向いている。また、ラケットのバランスポイントがグリップに近いものはトップライト型ラケットに属し、操作性に優れ、ディフェンスに向いている。多くのアタック型の選手は、高いスイングウェイト（ｓｗｉｎｇ  ｗｅｉｇｈｔ）の数値を有し、アタック時のパワーおよびスピードを増すことができるトップヘビー型ラケットを選択している。一方、ディフェンス型の選手は、ラケットの操作性を向上することができるトップライト型ラケットを選択している。
【考案の概要】
【考案が解決しようとする課題】
【０００３】
しかし、人それぞれ「適合するラケット」に対する要望は異なっているため、ラケットを販売する業者は、異なるウエイトを有するラケットを同時に並べて置かなければならず、スペースを占有するだけでなくラケットの在庫過多となり、経済効果が見込まれない。
【０００４】
本考案の目的は、これを鑑みて、随時要望に応じてウエイトチェンジが可能なラケットを提供することにある。
【課題を解決するための手段】
【０００５】
本考案は、グリップと、本体と、本体に設置されるナットと、ナットにねじ結合するボルトを含むウエイトチェンジが可能なラケットであって、本体は、フレーム、フレームとグリップとを接続する接続部、および少なくとも１つの孔を有しており、ナットは本体の孔に設けられ、ナットの外壁は孔の内壁と当接している。本考案のウエイトチェンジが可能なラケットは、異なる重さのボルトをナットにねじ結合するだけで、容易にラケットのウエイトを調整し、スウィングウエイトを変えることができる。
【０００６】
本考案によるウエイトチェンジが可能なラケットには、ナットの軸方向に垂直な断面の形状が非円形となっており、これにより、ナットとボルトとをねじ結合するとき、力の入れ過ぎによってナットが本体に対して回転することを防ぐことができる。
【０００７】
また、ナットは、リベッターによってブラインドナットとして、または接着することによって孔内に設置される。また、ナットの外壁と孔の内壁との間にゼリー層を有することができる。本考案によるウエイトチェンジが可能なラケットでは、本体はボルトの少なくとも一部を収容するための凹部を有しており、また、本体の表面はボルトの少なくとも一部を覆うように延びるカバーが形成されている。これにより、スウィングした際の風の抵抗が下がり、フローラインが維持される。
【図面の簡単な説明】
【０００８】
【図１】本考案の第１実施形態によるウエイトチェンジが可能なラケットの斜視図である。
【図２】本考案の第１実施形態によるウエイトチェンジが可能なラケットの分解斜視図である。
【図３】本考案の第１実施形態によるウエイトチェンジが可能なラケットの部分断面図である。
【図４】図４のＡ部の拡大断面図である。
【図５】本考案の第２実施形態によるウエイトチェンジが可能なラケットの部分断面図である。
【図６】本考案の第２実施形態によるウエイトチェンジが可能なラケットの拡大断面図である。
【図７】本考案の第３実施形態によるウエイトチェンジが可能なラケットの部分拡大図である。
【図８】図７の８−８断面図である。
【図９】図８においてナットがブラインドナットであった場合の断面図である。
【図１０】本考案の第４実施形態によるウエイトチェンジが可能なラケットの部分拡大断面図である。
【考案を実施するための形態】
【０００９】
以下、本考案の複数の実施形態を図面に基づいて説明する。以下の実施形態で、同じ参考符号は同じ、或いはそれに等しい部材を表す。
【００１０】
（第１実施形態）
本考案の第１実施形態によるウエイトチェンジが可能なラケットを図１〜図４に基づいて説明する。本考案の第１実施形態によるウエイトチェンジが可能なラケット１０は、主にグリップ２０、本体３０、ナット４０及びボルト５０を含む。
【００１１】
本体３０はカーボンファイバーであって、フレーム３１、及びフレーム３１とグリップ２０との間を接続する接続部３３を有している。接続部３３は、グリップ２０に接続し本体３０の中心軸上に位置するシャフト部３３１、及びシャフト部３３１とフレーム３１とを接続し本体３０の中心軸の両側にそれぞれ位置する左アーム部３３３、及び右アーム部３３５を有している。
【００１２】
ナット４０は、本体３０に設置され、ナットヘッド４１、及びねじ山を内部に設けたナットボディ４３を有している。また、ナットヘッド４１は、互いに平行なストレート面４１１、及び各ストレート面４１１にそれぞれ接続したカーブ面４１２を有している。これにより、ナット４０の軸方向に垂直な断面の形状は非円形になっており、ねじを締める工程で力の入れ過ぎによってナット４０が本体３０に対して回転することを防ぐことができる。
【００１３】
ボルト５０は、プラスチックから形成され、ボルトヘッド５１、及びねじ山を設けたボルトボディ５３を有しており、ナット４０にねじ結合される。
【００１４】
図３に示すように、本体３０の左アーム部３３３、右アーム部３３５はそれぞれ凹部３５を有し、各凹部３５には有底孔３７が形成されている。左アーム部３３３および右アーム部３３５の表面には、カバー３９が外側に向かって延びるようにそれぞれ左アーム部３３３、右アーム部３３５と一体に形成されている。ナット４０は、接着されることにより有底孔３７内に設置される。ナット４０の外壁と有底孔３７の内壁３７１との間にはゼリー層６０、図４に示すように設けられている。ナット４０の外壁は、有底孔３７の内壁３７１に当接しており、ボルト５０のボルトボディ５３はそれぞれ各ナット４０のナットボディ４３にねじ結合されるとともに、カバー３９に覆われている。カバー３９は、使用者がラケット１０をスウィングした際、風の抵抗を小さくし、かつ凹部３５がボルト５０の一部を収容しボルト５０をなるべく本体３０から突出しないように、フローラインが形成されている。
【００１５】
ラケット１０は、異なる重さのボルト５０をナット４０にねじ結合するだけで、容易にラケットのウエイトや重心位置を調整することができる。これにより、スポーツ選手の実際の要望に応じてラケット１０のウエイトを調整して適合するラケットを得ることができる。また、ラケットを販売する業者は、異なる消費者に適合したラケットをオーダーメイドすることができ、異なるウエイトを有するラケットを並べて置くためのスペース、及びラケットの在庫量の削減につながり、経済効果が見込まれる。
【００１６】
（第２実施形態）
本考案の第２実施形態によるウエイトチェンジが可能なラケットを図５および図６に基づいて説明する。
本考案の第２実施形態が提供するラケット１０は、図５、図６に示すように、シャフト部３３１の両側面に凹部３５、有底孔３７及びカバー３９が形成されている。ナット４０はそれぞれ各有底孔３７内に設けられる。また、凹部３５には有底孔３７内のナット４０およびボルト５０が設けられる。ナット４０の外壁と有底孔３７の内壁３７１との間にはゼリー層６０を設けられており、ボルト５０のボルトボディ５３は、それぞれ各ナット４０にねじ結合され、カバー３９に覆われている。
【００１７】
（第３実施形態）
本考案の第３実施形態によるウエイトチェンジが可能なラケットを図７〜図９に基づいて説明する。
本考案の第３実施形態が提供するラケット１０は、図７および図８を示すように、複数のナット４０’とボルト５０とを有している。複数のナット４０’は、本体のフレーム３１に設けられている。ナット４０’は、貫通するねじ孔４１’を有している。本体３０は、フレーム３１を貫通した貫通孔３７’を有しており、貫通孔３７’には窪み３７１’が形成されている。ナット４０’は接着されることで貫通孔３７’に設けられ、ナット４０’と貫通孔３７’との間にはゼリー層６０を設けられている。ボルト５０のボルトボディ５３は、それぞれ窪み３７１’を通ってナット４０’のねじ孔４１’でナット４０’とねじ結合する。また、図９に示す第３実施形態の変形例のように、設置するナットがブラインドナット４０”の場合、図示しないリベッターを利用してブラインドナット４０”を貫通孔３７’に設ける。ボルト５０のボルトボディ５３は、それぞれ窪み３７１’を通ってブラインドナット４０”のねじ孔でブラインドナット４０”とねじ結合する。
【００１８】
（第４実施形態）
本考案の第４実施形態によるウエイトチェンジが可能なラケットを図１０に基づいて説明する。
本考案の第４実施形態によるウエイトチェンジが可能なラケット１０では、有底孔３７をフレーム３１の前端部の中心箇所に形成している。ナット４０は第１実施形態と同様に接着することによって、またはリベッターによって有底孔３７に設置される。ボルト５０のボルトボディ５３はナット４０のナットボディ４３にねじ結合される。
【００１９】
（他の実施形態）
（ａ）上述の実施形態では、本体には、凹部およびカバーを設けるとした。しかしながら、凹部またはカバーを設けなくてもよい。
【００２０】
（ｂ）上述の実施形態では、ナットは、接着されることにより有底孔内または貫通孔内に設置されるとした。しかしながら、ナットの設置方法はこれに限定されない。本体を成形する前に予め樹脂繊維を含浸させたシートに埋設し、本体が成型した後ボルトとねじ結合するとしてもよい。
【００２１】
（ｃ）上述の実施形態では、ボルトはプラスチックから形成されるとした。しかしながら、ボルトを形成する材料はこれに限定されない。ゴム、或いはアルミニウム合金やステンレス、チタン合金などの金属を使って重量の変更可能な範囲を広げてもよい。
【００２２】
（ｄ）ナットヘッドは、互いに平行なストレート面、及び各ストレート面にそれぞれ接続したカーブ面を有しているとした。しかしながら、ナットヘッドの形状はこれに限らない。すべてカーブ面で形成されていてもよい。
【００２３】
以上、本考案はこのような実施形態に限定されるものではなく、考案の趣旨を逸脱しない範囲において、種々の形態で実施することができる。
【符号の説明】
【００２４】
１０          ・・・ラケット、
２０          ・・・グリップ、
３０          ・・・本体、
３１          ・・・フレーム、
３３          ・・・接続部、
３３１        ・・・シャフト部、
３３３        ・・・左アーム部、
３３５        ・・・右アーム部、
３５          ・・・凹部、
３７          ・・・有底孔、
３７’        ・・・貫通孔、
３７１        ・・・内壁、
３７１’      ・・・窪み、
３９          ・・・カバー、
４０、４０’  ・・・ナット、
４０”        ・・・ブラインドナット、
４１          ・・・ナットヘッド、
４１’        ・・・ねじ孔、
４１１        ・・・ストレート面、
４１２        ・・・カーブ面、
４３          ・・・ナットボディ、
５０          ・・・ボルト、
５１          ・・・ボルトヘッド、
５３          ・・・ボルトボディ、
６０          ・・・ゼリー層。
【図１】
0003177143.tif 000003
【図２】
0003177143.tif 000004
【図３】
0003177143.tif 000005
【図４】
0003177143.tif 000006
【図５】
0003177143.tif 000007
【図６】
0003177143.tif 000008
【図７】
0003177143.tif 000009
【図８】
0003177143.tif 000010
【図９】
0003177143.tif 000011
【図１０】
0003177143.tif 000012